(57)【特許請求の範囲】
【請求項１】
分電盤に組み込まれた主幹漏電遮断器が遮断動作した際に原因を調べるための漏電・欠相判別測定器であって、主回路の漏電を検出して信号を出力する分割型の零相変流器と、該零相変流器の出力信号により漏電を検出する漏電検出回路と、両電圧極と中性極に接続されたリード線の電圧を監視する欠相検出回路と、該欠相検出回路及び前記漏電検出回路からの出力信号により表示装置に表示を行う表示回路と、各回路に電源を供給する電源回路とをケースに収納したことを特徴とする漏電・欠相判別測定器。
【請求項２】
定格感度電流及び欠相動作電圧を前記漏電遮断器の不動作領域に設定したことを特徴とする請求項１に記載の漏電・欠相判別測定器。
【発明の詳細な説明】
【０００１】
【産業上の利用分野】
本発明は、分電盤に組み込まれた主幹漏電遮断器が遮断動作した際に原因を調べるための漏電・欠相判別測定器に関する。
【０００２】
【従来の技術】
一般に、図４に示すように分電盤に組み込まれる漏電遮断器２１は遮断動作すると、漏電遮断器２１のケース２２に設けられた表示ボタン２３が突出して漏電或いは欠相により遮断したことを知らせる機能が設けられている。しかし、表示ボタン２３による表示だけでは漏電と欠相のどちらで遮断したか分からないという問題がある。
【０００３】
そこで遮断の原因を調べる際は計測機器が使用されるが、図５に示すように漏電遮断器２１が遮断動作する原因と頻度により使用する計測機器が異なる。漏電遮断器が頻繁に動作する場合は、絶縁抵抗計と電圧計が使用される。絶縁抵抗計は主回路の抵抗を測定するためのもので漏電が起こっているかどうかを調べることができ、電圧計は両電圧極を測定することにより欠相しているかどうかを調べることができる。
【０００４】
また、漏電遮断器がたまにしか動作しない場合は、第一の記録計と第二の記録計が使用される。第一の記録計は主回路に接続され、長時間に亘って電源電圧波形を測定することにより欠相を調べることができ、また、第二の記録計は主回路に接続され、長時間に亘って漏電電流波形を測定することにより漏電を調べることができる。また、短絡や過負荷により漏電遮断器が動作した場合は、使用者に状況を聞くことにより分かる。また、漏電遮断器本体の不良により動作した場合は原因を解明することは難しい。
【０００５】
【発明が解決しようとする課題】
上記従来の方法では、遮断の原因を調べるために複数の測定機器を使用しなければならず手間がかかり、また、記録計を使用すると測定の準備や計測にかなりの時間を要するいう欠点があった。
【０００６】
【課題を解決するための手段】
上記従来の問題点に鑑み、本発明の目的は、手軽に持ち運びができ、一つの測定機器で漏電遮断器の遮断原因を容易に調べることができる漏電・欠相判別測定器を提供するもので、その構造は、分電盤に組み込まれた主幹漏電遮断器が遮断動作した際に原因を調べるための漏電・欠相判別測定器であって、主回路の漏電を検出して信号を出力する分割型の零相変流器と、零相変流器の出力信号により漏電を検出する漏電検出回路と、両電圧極と中性極に接続されたリード線の電圧を監視する欠相検出回路と、欠相検出回路及び漏電検出回路からの出力信号により表示装置に表示を行う表示回路と、各回路に電源を供給する電源回路とをケースに収納したことである。
【０００７】
また、定格感度電流及び欠相動作電圧を漏電遮断器の不動作領域に設定したことである。
【０００８】
【発明の実施の形態】
請求項１に記載の漏電・欠相判別測定器によれば、分電盤に組み込まれた主幹漏電遮断器が遮断動作した際に原因を調べるための漏電・欠相判別測定器であって、主回路の漏電を検出して信号を出力する分割型の零相変流器と、零相変流器の出力信号により漏電を検出する漏電検出回路と、両電圧極と中性極に接続されたリード線の電圧を監視する欠相検出回路と、欠相検出回路及び漏電検出回路からの出力信号により表示装置に表示を行う表示回路と、各回路に電源を供給する電源回路とをケースに収納したことにより、手軽に持ち運びができ、一つの測定機器で漏電遮断器の遮断原因を容易に調べることができる。
【０００９】
請求項２に記載の漏電・欠相判別測定器によれば、定格感度電流及び欠相動作電圧を漏電遮断器の不動作領域に設定したことにより、確実に原因を判別することができる。
【００１０】
【実施例】
本発明に係る漏電・欠相判別測定器の一実施例を図１〜図３の添付図面に基づいて説明する。
【００１１】
単相三線式分電盤１に組み込まれた主幹漏電遮断器２が遮断動作した際に原因を調べるための漏電・欠相判別測定器３は、主回路の漏電を検出して信号を出力する分割型の零相変流器４と、零相変流器４の出力信号により漏電を検出する漏電検出回路５と、両電圧極と中性極に接続されたリード線６，６，６の電圧を監視する欠相検出回路７と、欠相検出回路７及び漏電検出回路５からの出力信号により表示装置８に表示を行う表示回路９と、各回路に電源を供給する電源回路１０とをケース１１に収納している。
【００１２】
漏電・欠相判別測定器３は漏電遮断器２が漏電や欠相を検出して遮断動作するより先に漏電や欠相の判定をしなければならない。そこで、漏電検出回路５が動作するための定格感度電流及び欠相検出回路が動作するための欠相動作電圧を漏電遮断器２の不動作領域に設定し、誤動作を防止するために定格感度電流に達してからの感度動作時間及び欠相動作電圧に達してからの欠相動作時間の不感知時間は長めに設定しておく。
【００１３】
ここで、主幹漏電遮断器２が遮断動作した分電盤１があったとする。この漏電遮断器２は短絡や過負荷により遮断したものでないとすると漏電・欠相判別測定器３を使用して原因を調べることができる。
【００１４】
まず、ケース１１の一方に設けられた分割型の零相変流器４は、レバー１２を握ると円状の零相変流器４が左右に開いて分割するため、開口部から漏電遮断器２の一次側に接続される両電圧線１３ａ，１３ｂ及び中性線１３ｃを挿入する。次に、ケース１１の他方には欠相検出回路７に接続された三本のリード線６，６，６が設けられているため、漏電遮断器２の両電圧極の一次側端子１４ａ，１４ｂと中性極の銅バー１５に接続にする。尚、リード線６は、電源回路１０にも接続されており、電源を確保する役割もある。それから漏電遮断器２を復帰させる。
【００１５】
そこで零相変流器４が主回路の漏電を検出すると漏電検出回路５に信号を出力し、漏電検出回路５は表示回路９に信号を出力し、ケース１１の中央付近に設けた漏電表示用のＬＥＤ等の表示装置８ａを点灯させる。
【００１６】
また、リード線６の電圧を監視する欠相検出回路７が欠相を検出すると、欠相検出回路７は表示回路９に信号を出力し、ケース１１の中央付近に設けた欠相表示用のＬＥＤ等の表示装置８ｂを点灯させる。
【００１７】
漏電と欠相が同時に起こっている場合は、漏電表示用のＬＥＤ８ａと欠相表示用のＬＥＤ８ｂが点灯する。また、漏電遮断器２が遮断動作していても漏電・欠相判別測定器の表示装置が点灯していない場合は漏電遮断器２本体の不良によるものだと考えられる。
【００１８】
尚、本実施例において、表示装置としてＬＥＤを使用したが、これに限定するものではない。
【００１９】
【発明の効果】
以上のように本発明に係る漏電・欠相判別測定器は、分電盤に組み込まれた主幹漏電遮断器が遮断動作した際に原因を調べるための漏電・欠相判別測定器であって、主回路の漏電を検出して信号を出力する分割型の零相変流器と、零相変流器の出力信号により漏電を検出する漏電検出回路と、両電圧極と中性極に接続されたリード線の電圧を監視する欠相検出回路と、欠相検出回路及び漏電検出回路からの出力信号により表示装置に表示を行う表示回路と、各回路に電源を供給する電源回路とをケースに収納したことにより、手軽に持ち運びができ、一つの測定機器で漏電遮断器の遮断原因を容易に調べることができるという優れた効果を有するものである。
【００２０】
また、定格感度電流及び欠相動作電圧を漏電遮断器の不動作領域に設定したことにより、確実に原因を判別することができる。
【図面の簡単な説明】
【図１】本発明に係る漏電・欠相判別測定器を示す正面図である。
【図２】本発明に係る漏電・欠相判別測定器を示すブロック図である。
【図３】本発明に係る漏電・欠相判別測定器の使用状態を示す正面図である。
【図４】漏電遮断器を示す正面図である。
【図５】従来の漏電遮断器の遮断動作の原因を調べる方法を示す図である。
【符号の説明】
１      分電盤
２      漏電遮断器
３      漏電・欠相判別測定器
４      零相変流器
５      漏電検出回路
６      リード線
７      欠相検出回路
８ａ    表示装置
８ｂ    表示装置
９      表示回路
１０    電源回路
１１    ケース
１２    レバー
１３ａ  電圧線
１３ｂ  電圧線
１３ｃ  中性線
１４ａ  一次側端子
１４ｂ  一次側端子
１５    銅バー
【図１】
0004349599.tif 000002
【図２】
0004349599.tif 000003
【図３】
0004349599.tif 000004
【図４】
0004349599.tif 000005
【図５】
0004349599.tif 000006